【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
電力制御回路であって、
電源ノードと、
ゲート制御電圧供給ノードと、
前記電源ノードと前記ゲート制御電圧供給ノードとの間に結合されている複数のトランジスタであって、各々が制御電極、前記電源ノードに結合されている第１の電流電極、および前記ゲート制御電圧供給ノードに結合されている第２の電流電極を有し、該複数のトランジスタのうちの第１のトランジスタの前記ゲート電極は電力制御信号を受信するように結合されており、前記電力制御信号のアサートに応答して、前記第１のトランジスタは伝導状態に置かれる、前記複数のトランジスタと、
第１の入力、および、前記複数のトランジスタのうちの第２のトランジスタの前記制御ゲートに結合されている第１の出力とを有する第１の電圧比較器であって、前記電力制御信号のアサートに応答して、前記第１の入力は前記ゲート制御電圧供給ノードに結合され、前記ゲート制御電圧供給ノード上の電圧が第１の基準電圧に達するとき前記第１の出力が前記第２のトランジスタを伝導状態に置く、前記第１の電圧比較器と、
第２の入力、および、前記複数のトランジスタのうちの第３のトランジスタの前記制御ゲートに結合されている第２の出力を有する第２の電圧比較器であって、前記電力制御信号のアサートに応答して、前記第２の入力は前記ゲート制御電圧供給ノードに結合され、前記ゲート制御電圧供給ノード上の前記電圧が、前記第１の基準電圧とは異なる第２の基準電圧に達するとき前記第２の出力が前記第３のトランジスタを伝導状態に置く、第２の電圧比較器とを備える、電力制御回路。
【請求項２】
電力制御回路であって、
電源ノードと、
ゲート制御電圧供給ノードと、
前記電源ノードと前記ゲート制御電圧供給ノードとの間に結合されている複数のトランジスタであって、各々が制御電極、前記電源ノードに結合されている第１の電流電極、および前記ゲート制御電圧供給ノードに結合されている第２の電流電極を有し、該複数のトランジスタのうちの第１のトランジスタの前記ゲート電極は電力制御信号を受信するように結合されており、前記電力制御信号のアサートに応答して、前記第１のトランジスタは伝導状態に置かれる、前記複数のトランジスタと、
第１の入力、および、前記複数のトランジスタのうちの第２のトランジスタの前記制御ゲートに結合されている第１の出力とを有する第１の電圧比較器であって、前記電力制御信号のアサートに応答して、前記第１の入力は前記ゲート制御電圧供給ノードに結合され、前記ゲート制御電圧供給ノード上の電圧が第１の基準電圧に達するとき前記第１の出力が前記第２のトランジスタを伝導状態に置く、前記第１の電圧比較器と、
第２の入力、および、前記複数のトランジスタのうちの第３のトランジスタの前記制御ゲートに結合されている第２の出力を有する第２の電圧比較器であって、前記電力制御信号のアサートに応答して、前記第２の入力は前記ゲート制御電圧供給ノードに結合され、前記ゲート制御電圧供給ノード上の前記電圧が、前記第１の基準電圧とは異なる第２の基準電圧に達するとき前記第２の出力が前記第３のトランジスタを伝導状態に置く、第２の電圧比較器と、
前記ゲート制御電圧供給ノードに結合されている第１の端子と、前記第１の入力および前記第２の入力に結合されている第２の端子と、前記電力制御信号を受信するように結合されている制御端子とを有するスイッチと、を備え、前記電力制御信号のアサートに応答して、前記スイッチは前記第１の入力を前記ゲート制御電圧供給ノードに結合し、前記第２の入力を前記ゲート制御電圧供給ノードに結合する、電力制御回路。
【請求項３】
電力制御回路であって、
電源ノードと、
ゲート制御電圧供給ノードと、
前記電源ノードと前記ゲート制御電圧供給ノードとの間に結合されている複数のトランジスタであって、各々が制御電極、前記電源ノードに結合されている第１の電流電極、および前記ゲート制御電圧供給ノードに結合されている第２の電流電極を有し、該複数のトランジスタのうちの第１のトランジスタの前記ゲート電極は電力制御信号を受信するように結合されており、前記電力制御信号のアサートに応答して、前記第１のトランジスタは伝導状態に置かれる、前記複数のトランジスタと、
第１の入力、および、前記複数のトランジスタのうちの第２のトランジスタの前記制御ゲートに結合されている第１の出力とを有する第１の電圧比較器であって、前記電力制御信号のアサートに応答して、前記第１の入力は前記ゲート制御電圧供給ノードに結合され、前記ゲート制御電圧供給ノード上の電圧が第１の基準電圧に達するとき前記第１の出力が前記第２のトランジスタを伝導状態に置く、前記第１の電圧比較器と、
第２の入力、および、前記複数のトランジスタのうちの第３のトランジスタの前記制御ゲートに結合されている第２の出力を有する第２の電圧比較器であって、前記電力制御信号のアサートに応答して、前記第２の入力は前記ゲート制御電圧供給ノードに結合され、前記ゲート制御電圧供給ノード上の前記電圧が、前記第１の基準電圧とは異なる第２の基準電圧に達するとき前記第２の出力が前記第３のトランジスタを伝導状態に置く、第２の電圧比較器と、を備え、
前記第１の電圧比較器は、
第４のトランジスタであって、前記第１の入力に結合されている制御電極、第１の電流電極、および前記第１の出力に結合されている第２の電流電極を有する、前記第４のトランジスタと、
第５のトランジスタであって、前記第１の入力に結合されている制御電極、前記第１の出力に結合されている第１の電流電極、および第２の電流電極を有する、前記第５のトランジスタとを備え、
前記第２の電圧比較器は、
第６のトランジスタであって、前記第２の入力に結合されている制御電極、第１の電流電極、および前記第２の出力に結合されている第２の電流電極を有する、前記第６のトランジスタと、
第７のトランジスタであって、前記第２の入力に結合されている制御電極、前記第２の出力に結合されている第１の電流電極、および第２の電流電極を有する、前記第７のトランジスタとを備える、電力制御回路。
【請求項４】
ゲート制御電圧供給ノードに電源投入する方法であって、
前記ゲート制御電圧供給ノードの電源投入開始に応答して、前記ゲート制御電圧供給ノードと電源ノードとの間に結合されている第１のトランジスタを伝導状態に置くステップと、
前記ゲート制御電圧供給ノードの電圧が第１の基準電圧および第２の基準電圧に達するときを検出するステップであって、前記第２の基準電圧は前記第１の基準電圧よりも大きい、前記検出するステップと、
前記ゲート制御電圧供給ノードの前記電圧が前記第１の基準電圧に達するとき、前記ゲート制御電圧供給ノードと前記電源ノードとの間に結合されている第２のトランジスタを伝導状態に置くステップと、
前記ゲート制御電圧供給ノードの前記電圧が前記第２の基準電圧に達するとき、前記ゲート制御電圧供給ノードと前記電源ノードとの間に結合されている第３のトランジスタを伝導状態に置くステップとを備える、方法。
【請求項５】
電力制御回路であって、
第１のトランジスタであって、電源ノードに結合されている第１の電流電極、電源投入制御信号を受信するように結合されている制御電極、およびゲート制御電圧供給電圧ノードに結合されている第２の電流電極を有する、前記第１のトランジスタと、
第２のトランジスタであって、前記電源ノードに結合されている第１の電流電極、制御電極、および前記ゲート制御電圧供給ノードに結合されている第２の電流電極とを有する、前記第２のトランジスタと、
第３のトランジスタであって、前記電源ノードに結合されている第１の電流電極と、制御電極と、前記ゲート制御電圧供給ノードに結合されている第２の電流電極とを有する、前記第３のトランジスタと、
スイッチであって、前記ゲート制御電圧供給ノードに結合されている第１の端子と、第２の端子と、前記電源投入制御信号を受信するように結合されている制御端子とを有する、前記スイッチと、
前記スイッチの前記第２の端子と前記第２のトランジスタの前記制御ゲートとの間に結合されている第１のインバータであって、該第１の反転回路は第１のトリップ点を有する、前記第１のインバータと、
前記スイッチの前記第２の端子と前記第３のトランジスタの前記制御ゲートとの間に結合されている第２のインバータであって、該第２の反転回路は前記第１のトリップ点よりも大きい第２のトリップ点を有する、前記第２のインバータとを備える、電力制御回路。